(57)【要約】【課題】移動局１２における呼び出し先を制限しつつ、それら呼び出し先を柔軟かつ能率的に変更できるようにする。【解決手段】呼び出しリスト書き込み手段４５は、呼び出しリストテーブル３７に複数の呼び出しリストを設定する。メッセージ解析手段３５は、無線部２６において受信したＳＤＭが通常のものか、呼び出しリストの選択指示のものかを解析する。呼び出しリストの選択指示としてのＳＤＭを受信した場合には、該ＳＤＭをリスト入れ換え予約記憶手段４１に記憶する。該ＳＤＭには、選択する呼び出しリストの番号と共に呼び出しリストの変更開始時期の情報が含まれている。該変更開始時期が到来すると、呼び出しリスト入れ換え手段３８は該当の呼び出しリストを選択呼び出しリストとして呼び出しリスト記憶手段３９に記憶する。ユーザーからの呼び出しリストの表示要求に対して、現在の選択呼び出しリストが表示手段２８に表示される。【選択図】図２
2008278026.tif 000002
【特許請求の範囲】
【請求項１】
呼び出し先についての複数の呼び出しリストに係るデータを記憶する記憶媒体、
前記記憶媒体にそのデータが記憶されている複数の呼び出しリストの中から１つを選択する指示を他の無線機から受信する指示受信手段、及び
呼び出し先を現在の選択呼び出しリスト内の呼び出し先に制限する呼び出し先制限手段、
を備えることを特徴とする無線機。
【請求項２】
前記呼び出し先制限手段は、現在の選択呼び出しリストを表示器に表示して、表示中の呼び出しリストの中からユーザーに呼び出し先を選択させるものであることを特徴とする請求項１記載の無線機。
【請求項３】
選択呼び出しリストの使用開始時期についての指示を受信する前記指示受信手段、及び
現在が前記使用開始時期になると、該使用開始時期に該当する呼び出しリストへ選択呼び出しリストを変更する選択呼び出しリスト変更手段、
を備えることを特徴とする請求項１又は２記載の無線機。
【請求項４】
選択呼び出しリストの使用終了時期についての指示を受信する前記指示受信手段、及び
現在が前記使用終了時期になると、該使用終了時期に該当する呼び出しリストから別の呼び出しリストへ選択呼び出しリストを変更する選択呼び出しリスト変更手段、
を備えることを特徴とする請求項１〜３のいずれかに記載の無線機。
【請求項５】
複数の呼び出しリストのデータを記憶している記憶媒体を装備する他の無線機に対し、該複数の呼び出しリストの中から１つを選択する指示を送信する指示送信手段、
を備えることを特徴とする無線機。
【請求項６】
前記指示送信手段は、指示を他の無線機に対して個別に、グループ別に又は一斉に送信することを特徴とする請求項５記載の無線機。
【請求項７】
前記指示送信手段は、各他の無線機ごとに又は各グループの無線機ごとに、異なる呼び出しリストを選択させるように、個別送信又はグループ別送信により、呼び出しリストの選択指示を送信することを特徴とする請求項６記載の無線機。
【請求項８】
呼び出しリストの選択指示はテキストメッセージの通信により行われることを特徴とする請求項１〜７のいずれかに記載の無線機。
【請求項９】
音声通話用呼び出しリストとテキストメッセージ通信用呼び出しリストとは、共通又は別々に設定されることを特徴とする請求項１〜８のいずれかに記載の無線機。
【発明の詳細な説明】
【技術分野】
【０００１】
本発明は、状況に応じて適切な呼び出し先を設定する無線機に関するものである。
【背景技術】
【０００２】
特許文献１は、１つのマスター無線機と複数のスレーブ無線機とを含む無線通信システムを開示する（特許文献１の図１）。該無線通信システムでは、マスター無線機がスレーブ無線機へ切り換え通信条件を配信し（特許文献１の図３のＳ１１４）、その後、スレーブ無線機から切り換え通信条件が返信され（特許文献１の図３のＳ１１６）、マスター無線機のオペレータが、配信した切り換え通信条件と返信された切り換え通信条件との整合性を判断し（特許文献１の図３のＳ１１８）、該オペレータが切り換え可能と判断すると、通信条件の切り換え指示がマスター無線機からスレーブ無線機へ送り、マスター無線機及びスレーブ無線機の通信条件を切り換えるようにしている（特許文献１の図３のＳ１２０，Ｓ１２１，Ｓ１２２）。
【０００３】
特許文献１の無線通信システムにおける切り換え通信条件とは、具体的には、特許文献１の図５のディスプレイ又は特許文献１の図３の符号９５２に記載されているものである。特許文献１は、さらに、マスター無線機が、オペレータからの指示に代えて、スレーブ無線機へ自動的に切り換え指示を出すことも開示する。この場合、マスター無線機は、その記憶装置に通信条件とその切り換えタイミングとを記憶しておき、切り換えタイミングに従って、通信条件を切り換えるように指示する（特許文献１の段落００２６）。
【０００４】
図１３は従来の無線機２００の構成図である。該無線機２００は、例えば荷物の配送業務における各配達員等に携帯される。該無線機２００において、本発明の実施形態に係る後述の図２の移動局１２の素子と対応する素子は、移動局１２の対応素子と同一の符号により指示して、説明を省略し、無線機２００の主要点についてのみ説明する。
【０００５】
呼び出しリスト書き込み手段４５は、具体的には例えばＰＣ（パーソナルコンピュータ）から成り、無線機２００へケーブル等により接続されて、該ＰＣのオペレータが無線機２００の呼び出しリスト（アドレス帳）を該ＰＣからの編集により設定及び更新するようになっている。呼び出しリスト変更手段３６は、呼び出しリスト書き込み手段４５により編集された呼び出しリストを呼び出しリスト記憶手段３９に記憶する。従来の無線機２００は１つの呼び出しリストしか装備しておらず、呼び出しリスト記憶手段３９に記憶されている呼び出しリストは１つのみである。
【０００６】
無線機２００のユーザーは、所定の相手と通話する場合には、操作手段２９の所定のキーを操作して、呼び出しリストを表示手段２８に表示させる。そして、ユーザーが呼び出しリストから所望の呼び出し先を選択すると、該呼び出し先を呼び出す呼び出し信号が無線部２６において生成され、アンテナ２１から電波で発信される。
【０００７】
図１４は従来の無線機２００に適用されるメッセージ受信処理方法２１０のフローチャートである。従来の無線機２００では、メッセージとしてのＳＤＭ（ショート・データ・メッセージ：Short Data Message）は、無線機２００間において通常のメッセージのやり取りに行われるだけであり、コマンド的な使用はなされていなかった。したがって、受信したＳＤＭのデータは一律にＳＤＭ記憶手段３１へ記憶される。該メッセージ受信処理方法２１０は無線機２００の電源投入期間中、継続的に実施される。
【０００８】
Ｓ２１１では、メッセージ（ＳＤＭ）を受信したか否かを判定し、判定が否であれば、Ｓ２１１へ戻り、正であれば、Ｓ２１２へ進む。Ｓ２１２では、今回、受信したＳＤＭが自局宛であるか否かを判定し、判定が正であれば、Ｓ２１３へ進み、否であれば、Ｓ２１１へ戻る。Ｓ２１１へ戻る場合には、該ＳＤＭは破棄される。
【０００９】
Ｓ２１３では、今回受信したＳＤＭのデータをＳＤＭ記憶手段３１へ記憶する。Ｓ２１４では、スピーカ／マイクロホン２２から音で、また、表示手段２８からは画像で、ＳＤＭの着信をユーザーへ通知する。
【特許文献１】特開２００４−４０２１２号公報
【発明の開示】
【発明が解決しようとする課題】
【００１０】
各配達員は、作業期間中、個別に無線機２００を携帯するようになっているが、配達員同士が、仕事とは関係ない、無駄なおしゃべりやメールをすることを防止するためには、各呼び出しリストは、基地局とか配送本部とか、各配達員が、作業中、連絡が必要な相手先に制限することが好ましい。しかしながら、業務量には、曜日、時間帯、季節等により変動があり、業務量に応じて、それが少ない場合には、適宜、基地局のオペレータを節減するとともに、グループリーダー等が不在のオペレータ代わって各配達員に応答させることが望ましい。
【００１１】
従来の無線機２００では、その呼び出しリストを変更する場合に、担当者が、一々無線機２００に呼び出しリスト書き込み手段４５を接続して、無線機２００内の呼び出しリストを書き直す必要があり、煩雑となっている。
【００１２】
特許文献１が開示する技術は、マスター無線機が複数のスレーブ無線機と共通の通信条件で通信する場合における共通の通信条件の切り換えであり、各無線機の呼び出し先を柔軟にかつ能率的に変更する手立てについての示唆はない。
【００１３】
特許文献１の無線通信システムでは、通信条件の切り換え時に、マスター無線機から複数のスレーブ無線機へ切り替え指示を一々、出す必要があり、無線機における通信条件の実際の切り換え時より十分前に、すなわち、予約形式で切り換えを指示したりすることはできない、特許文献１の段落００２６には、「例えば、１時間ごとに異なる通信条件に切り換ええるようにプログラムしておいてもよい。」なる説明があり、プログラム内に切り換え時期を設定しておけば、無線機における通信条件の実際の切り換え時より十分前に、切り換えを指示することも可能であるが、非常用の通信条件については、非常時の発生時刻自体が不明であるので、プログラムによる対応は困難である。さらに、発生時刻が予め分かったとしても、ユーザーレベルでは、プログラムの書き換えは困難である。
【００１４】
本発明の目的は、各無線機における呼び出し先を、状況に応じて迅速かつ能率的に変更できるようにすることである。
【課題を解決するための手段】
【００１５】
本発明によれば、各無線機は、呼び出し先についての複数の呼び出しリストを予め装備しておき、基地局等の他の所定の無線機が、複数の呼び出しリストを装備する無線機に対し、それが選択する呼び出しリストをどれにするかを指示するようにしている。なお、呼び出しリストは、音声通話用と、テキストメッセージ通信用とを、共通に又は別々に設定することができる。
【００１６】
本発明の実施態様では、呼び出しリストの選択指示を受ける側の無線機は、選択指示を出す側の無線機から、選択開始時期や選択終了時期の指示も受けるようになっている。また、選択する呼び出しリストをどれにするかの指示、選択開始時期の指示、及び選択終了時期の指示は、例えば、テキストメッセージ（例：ＳＤＭ）の通信により行われ、また、それら指示は、別々のテキストメッセージにより行うことができるが、典型的には、同一のテキストメッセージにより行われる。
【００１７】
本発明の無線機は次のものを備えている。
呼び出し先についての複数の呼び出しリストに係るデータを記憶する記憶媒体、
前記記憶媒体にそのデータが記憶されている複数の呼び出しリストの中から１つを選択する指示を他の無線機から受信する指示受信手段、及び
呼び出し先を現在の選択呼び出しリスト内の呼び出し先に制限する呼び出し先制限手段。
【００１８】
本発明の別の無線機は、記憶媒体を装備する他の無線機に対し該記憶媒体にそのデータが記憶されている複数の呼び出しリストの中から１つを選択する指示を送信する指示送信手段を備えている。
【発明の効果】
【００１９】
本発明によれば、基地局等の所定の無線機が、移動局等の他の無線機に対して、それが選択する呼び出しリストを指示することにより、該他の無線機からの呼び出し可能な相手無線機を柔軟かつ能率的に変更することができる。
【発明を実施するための最良の形態】
【００２０】
図１は無線通信システム１０の概略構成図である。該無線通信システム１０は例えば配送業務に適用される。該無線通信システム１０は、基地局１１と、該基地局１１と無線電波により通信自在の距離に存在する複数の移動局１２（Ａ〜Ｅ）とを備える。無線通信システム１０では、基地局１１−移動局１２間で通信自在であるとともに、移動局１２−移動局１２間は基地局１１の中継により通信自在になっている。基地局１１には、通常、オペレータが待機して、各移動局１２のユーザー（配達員等）と情報をやり取りする。移動局１２は携帯型である。
【００２１】
基地局１１及び移動局１２は、通話だけでなく、ＳＤＭ（ショート・データ・メッセージ：Short Data Message）の送受にも対応しており、さらに、通話及びＳＤＭの送受では、個別／グループ別／一斉の呼び出しに対応している。個別／グループ別／一斉の送受を説明するために、ここで、基地局１１及び移動局１２を共に”無線機”と呼ぶことする。個別呼び出しでは、１つの無線機が無線通信システム１０内の所定の１つの無線機を呼び出す。グループ別の通信では、１つの無線機が、無線通信システム１０内の所定の１グループに属する全部の無線機を呼び出す。一斉呼び出しでは、無線通信システム１０内の全部の無線機を呼び出す。
【００２２】
図２は移動局１２の構成図である。移動局１２は、リーダー、スーパーバイザー（監督）及び配達員に携帯され、アンテナ２１、スピーカ／マイクロホン２２、ＧＰＳアンテナ２３、制御部２５、無線部２６、ＧＰＳ受信手段２７、表示手段２８、操作手段２９、ＲＴＣ部３０、ＳＤＭ記憶手段３１、メッセージ解析手段３５、呼び出しリスト変更手段３６、呼び出しリストテーブル３７、呼び出しリスト入れ換え手段３８、呼び出しリスト記憶手段３９、呼び出しリスト読み出し手段４０及びリスト入れ換え予約記憶手段４１を装備している。
【００２３】
ＧＰＳ受信手段２７は、ＧＰＳアンテナ２３において受信したＧＰＳ電波に基づき移動局１２の現在地を検出し、制御部２５へ出力する。制御部２５は、基地局１１からのポーリング等に対して無線部２６に現在地データに係る応答信号を生成させ、アンテナ２１から送信させる。
【００２４】
制御部２５、メッセージ解析手段３５、呼び出しリスト変更手段３６、呼び出しリストテーブル３７、呼び出しリスト入れ換え手段３８、呼び出しリスト記憶手段３９、呼び出しリスト読み出し手段４０及びリスト入れ換え予約記憶手段４１は、ＣＰＵにおいて実行されるプログラムの機能として実現される。呼び出しリスト書き込み手段４５は、例えばＰＣ（パーソナルコンピュータ）から構成され、移動局１２と適宜、ケーブルや無線により接続され、所定の担当員は、呼び出しリスト書き込み手段４５を使って、移動局１２に複数の呼び出しリスト（アドレス帳）を設定することができるようになっている。
【００２５】
表示手段２８は、例えばＬＣＤから成り、制御部２５からの画像信号に係る画像を表示する。操作手段２９は、ユーザーにより操作される複数のキーから成り、それらキーに対するユーザーの操作内容に係る信号を制御部２５へ供給する。
【００２６】
無線部２６は、スピーカ／マイクロホン２２からの音声信号をＲＦ信号へ変換して、アンテナ２１から所定のチャンネルの電波で送信するとともに、アンテナ２１に受信した所定のチャンネルのＲＦ信号を音声信号へ変換して、スピーカ／マイクロホン２２から音声で出力するようになっている。移動局１２は、通話以外のＳＤＭの送受にも対応しており、無線部２６は、ＲＦ信号からＳＤＭに係るデータを抽出し、それをメッセージ解析手段３５へ送る。
【００２７】
図３は呼び出しリストの入れ換えを指示するＳＤＭのフレーム構造図である。呼び出しリストの入れ換え指示はＳＤＭを利用する。呼び出しリストの入れ換え指示のＳＤＭは計１２個のフィールドから成る。各フィールド間には、区切りとして”，”が挿入される。呼び出しリストの入れ換えを指示するＳＤＭは、通常のＳＤＭと区別するために、先頭の２バイトには”ＬＣ”の文字が書き込まれる。
【００２８】
説明の便宜上、呼び出しリストの入れ換え指示のＳＤＭにおいて、１番目のフィールドのフィールド番号を”ＬＣ”とし、２番目以降のフィールドのフィールド番号を”Ｎｏ．１”〜”Ｎｏ．１１”とする。を付ける。呼び出しリストの入れ換え指示のＳＤＭは、フィールド番号”ＬＣ”及び”Ｎｏ．１”の書込みは必須であり、”Ｎｏ．２”以降のフィールド番号のフィールドは書き込みを省略（ブランク）することができる。
【００２９】
図４はＳＤＭのフレームにおける各フィールドの定義内容を示している。フィールド番号＝ＬＣのフィールドには、リスト変更のためのヘッダー文字として、”ＬＣ”が挿入される。フィールド番号＝Ｎｏ．１のフィールドには、切り換え後の呼び出しリストの番号が挿入される。Ｎｏ．２以降は、年、月、日、時又は分の数値がテキスト形式で挿入される。「時」は２４時間形式で表現する。例えば「時」に該当するフィールドのテキストが１３であることは、該「時」は午後１時であることを意味する。フィールド番号がＬＣ及びＮｏ．１のフィールドはそれへの書き込みが必須であるが、Ｎｏ．３以降のフィールドについては書き込みを省略することができる。
【００３０】
例えば、「ＬＣ，０２，０７，０５，０１，００，００，０７，０５，３１，２３，５９」のＳＤＭは、無線通信システム１０が保持している２番の呼び出しリストを２００７年５月１日０時０分〜２００７年５月３１日２３時５９分まで選択する指示となる。また、例えば、「ＬＣ，０３，，，，，，，，，，」のＳＤＭは、フィールド番号がＮｏ．２以降であるフィールドの書き込みが省略されていることを意味し、無線通信システム１０が保持している３番の呼び出しリストが直ちに選択される。
【００３１】
開始年月日時分のみを指示して、終了年月日時分の指示を省略した場合には、終了年月日時分は未定となり、終了年月日時分未定の呼び出しリストは、臨時の呼び出しリストが選択されない限り、選択を維持される。そして、該臨時の呼び出しリストが終了年月日時分になると、終了年月日時分未定の呼び出しリストが再選択される。
【００３２】
図２に戻り、呼び出しリスト書き込み手段４５は、移動局１２との接続時に、呼び出しリスト変更手段３６を介して、呼び出しリストテーブル３７に複数の呼び出しリストを設定できるようになっている。図５は複数の呼び出しリストの具体例である。各呼び出しリストはユニークなリスト番号を付与されている。図５の例では、呼び出しリストとして、平日用、休日用、非常用のものが設定されている。呼び出しリストは、さらに、細かく、曜日ごと、時間帯ごと、季節ごと、配達区域ごとに用意することも可能である。
【００３３】
図５の各呼び出しリストには、それぞれ６個の呼び出し先が設定され、各移動局１２の配達員は、各時点で採用されている呼び出しリストにおける６個の呼び出し先から１個を選択して、選択した呼び出し先の相手と通話及び／又はＳＤＭの送受が可能になっている。こうして、基地局等の管理部の人員配置を日に応じた合理的なものにしつつ、各配達員の移動局１２からは、必要な呼び出し先を保証することができる。
【００３４】
図１の無線通信システム１０には、基地局１１は１個であるのに対し、図５のリスト番号１，２の呼び出しリストには、呼び出し先に基地局が複数、設定されているが、これは、各移動局１２の配送業務エリアが広く、１つの基地局１１の電波到達範囲では該配送業務エリアをカバーできない場合に、対処したものである。この場合、複数の基地局１１が、適当に離れて、配置され、各移動局１２は少なくとも１つの基地局との通信を確保される。複数の基地局１１同士は、専用回線等によりネットワーク化されており、各移動局１２は、それが電波到達範囲にある基地局以外の別の基地局や、該別の基地局の電波到達範囲にある他の所定の移動局１２に対しても、通信可能になっている。
【００３５】
図２に戻り、無線部２６は、ＳＤＭを受信すると、そのデータをメッセージ解析手段３５へ送る。メッセージ解析手段３５は、今回のＳＤＭにおけるフィールド番号がＬＣであるフィールドに”ＬＣ”が書き込まれていれば、それは呼び出しリストの入れ換えの指示であるとして、そのデータをリスト入れ換え予約記憶手段４１に記憶し、また、”ＬＣ”以外の文字が書き込まれていれば、それは通常のＳＤＭであるとして、そのデータをＳＤＭ記憶手段３１に記憶する。
【００３６】
ＲＴＣ(リアル・タイム・クロック）部３０は現在の年月日時分の情報を有しており、ＳＤＭをＳＤＭ記憶手段３１又はリスト入れ換え予約記憶手段４１に記憶する際には、該情報を利用して、ＳＤＭをその記憶日時分と共に記憶することができる。また、受信したＳＤＭが通常のＳＤＭである場合には、制御部２５は、ＳＤＭの着信を表示手段２８に表示したり、スピーカ／マイクロホン２２から着信音を出したりする。ユーザーが着信したＳＤＭの表示を操作手段２９より指示すると、制御部２５は、該当のＳＤＭのデータをＳＤＭ記憶手段３１から読み出して、表示手段２８に表示する。
【００３７】
呼び出しリスト入れ換え手段３８は、ＲＴＣ部３０からの現在の年月日時分の情報に基づき、リスト入れ換え予約記憶手段４１に記憶中の呼び出しリストのいずれかへの入れ換え指示についてのＳＤＭにおける変更開始又は変更終了年月日時分が到来したか否かを監視し、到来すれば、呼び出しリストの入れ換えを呼び出しリスト記憶手段３９に対して行なう。具体的には、呼び出しリスト入れ換え手段３８は、入れ換え後のリスト番号の呼び出しリストを呼び出しリストテーブル３７から読み出して、それを呼び出しリスト記憶手段３９に現在の呼び出しリストとして上書きする。
【００３８】
制御部２５は、ユーザーが操作手段２９のキー操作により呼び出しリストの表示を指示すると、呼び出しリスト読み出し手段４０に呼び出しリスト記憶手段３９の呼び出しリストデータを読み出させ、そのデータに基づき呼び出しリストを表示手段２８に表示する。ユーザーは、表示手段２８に表示された呼び出しリストから１つの呼び出し先を選択し、その呼び出し先を呼び出させる。呼び出しリストは、典型的には、通話用の呼び出しリストとＳＤＭ送信用の呼び出しリストとに共用されるが、通話用の呼び出しリストとＳＤＭ送信用の呼び出しリストとを別々に設定し、別々に選択指示を受信することもできる。
【００３９】
通話の場合には、ユーザーが、呼び出し先を指定してから、操作手段２９の呼び出しキーを操作すると、呼び出しリスト読み出し手段４０は、呼び出し先の移動局１２のＩＤを呼び出しリスト記憶手段３９の呼び出しリストデータから抽出し、該ＩＤへの呼び出し信号を無線部２６により生成させて、アンテナ２１から送信する。ＳＤＭの送信の場合には、ユーザーが、呼び出し先を指定してから、メッセージ送信キーを操作すると、メッセージ解析手段３５は、呼び出し先の移動局１２のＩＤを呼び出しリスト記憶手段３９の呼び出しリストデータから抽出し、該ＩＤを宛先とするＳＤＭのデータ信号を無線部２６により生成させて、アンテナ２１から送信する。
【００４０】
図６は着信メッセージ処理方法５０のフローチャートである。着信メッセージ処理方法５０は、移動局１２が電源投入されている期間、継続的に実行される。Ｓ５１では、メッセージ（ＳＤＭ）が着信したか否かを判定し、判定が正であれば、Ｓ５２へ進み、否であれば、Ｓ６０へ進む。
【００４１】
Ｓ５２では、着信したＳＤＭについて解析を行う。具体的には、該ＳＤＭのフィールド番号ＬＣのフィールドの内容を調べる。Ｓ５３では、該ＳＤＭがリスト変更指示のメッセージであるか否かを判定し、判定が正であれば、Ｓ５５へ進み、否であれば、Ｓ５４へ進む。具体的には、該ＳＤＭのフィールド番号ＬＣのフィールドの内容が”ＬＣ”であれば、Ｓ５５へ進み、否であれば、Ｓ５４へ進む。
【００４２】
Ｓ５４では、通常のＳＤＭの着信処理を実行する。Ｓ５４の具体的内容は、図１４のＳ２１２〜Ｓ２１４の範囲と同一である。Ｓ５３の否→Ｓ２１２となり、Ｓ２１２否→Ｓ５１となり、Ｓ２１４→Ｓ５１となる。すなわち、ＳＤＭのデータをＳＤＭ記憶手段３１に記憶するとともに、着信音をスピーカ／マイクロホン２２から出したり、着信の旨を表示手段２８二表示したりする。Ｓ５５では、呼び出しリストの変更予約を記憶する。具体的には、該ＳＤＭのデータをリスト入れ換え予約記憶手段４１に記憶することである。Ｓ５５の処理後は、Ｓ５１へ戻る。
【００４３】
Ｓ６０では、ユーザーが呼び出し操作を行なったか否かを判定し、判定が正であれば、Ｓ６１へ進み、否であれば、Ｓ６２へ進む。Ｓ６１では、呼び出し処理を実行する。呼び出し処理の具体的内容は後述の図７において説明する。Ｓ６１の後、Ｓ５１へ戻る。
【００４４】
Ｓ６２では、現在が呼び出しリストについての予約時間になったか否かを判定し、判定が正であれば、Ｓ６３へ進み、否であれば、Ｓ５１へ戻る。予約時間には、呼び出しリストの変更開始時間及び変更終了時間の両方を含む。Ｓ６３では、呼び出しリストの入れ換え処理を実行する。すなわち、リスト入れ換え予約記憶手段４１に記憶されているＳＤＭの中に、その変更開始時間が到来したものがあれば、該ＳＤＭに書き込まれているリスト番号の呼び出しリストを選択呼び出しリストにする。また、現在の呼び出しリストについてその変更終了時間が到来していれば、該呼び出しリストより１つ前に使用していた呼び出しリストを選択呼び出しリストにする。Ｓ６２の後、Ｓ５１へ戻る。Ｓ６３で入れ換えられた後の呼び出しリストは、Ｓ６１の呼び出し処理で現在の選択呼び出しリストとして扱われる。
【００４５】
図７は呼び出し処理のフローチャートである。該呼び出し処理は図６のＳ６１の具体的内容となっている。Ｓ７０では、現在において選択中となっている呼び出しリストを表示手段２８に表示する。
【００４６】
Ｓ７１では、ユーザーが表示手段２８の呼び出しリストから選択した呼び出し先を検出する。Ｓ７２では、検出した呼び出し先に対して呼び出しを実行する。具体的には、検出した呼び出し先の移動局１２のＩＤ宛ての呼び出し信号を生成し、それをアンテナ２１から発信する。Ｓ７３では、相手の移動局１２と接続しだい、通話モードへ入る。
【００４７】
呼び出しリスト選択指示のＳＤＭは、個別／グループ／一斉の呼び出し機能を使って、送受することかできる。呼び出しリスト選択指示のＳＤＭをグループ別呼び出しにより送信する場合には、送信側の１つの無線機から所定のグループに属する全部の移動局１２へ１度に、同一の呼び出しリストの選択を指示するＳＤＭを送信することができる。呼び出しリスト選択指示のＳＤＭを個別呼び出しにより送信する場合には、例えば、グループリーダーと配達員との無線機へ別々の呼び出しリストの選択を指示することができるし、また、配達員の無線機同士でも異なる呼び出しリストの選択を指示することができる。
【００４８】
図８は別の無線通信システム１０ｂの構成図である。無線通信システム１０ｂにおいて、無線通信システム１０（図１）の構成要素に対応する構成要素は、無線通信システム１０の構成要素の符号にｂを付加した符号で指示している。無線通信システム１０ｂでは、基地局１１ｂ及び各移動局１２ｂはＧＰＳ信号受信装置８０を備えている。ＧＰＳ信号受信装置８０は、ＧＰＳアンテナ２３及びＧＰＳ受信手段２７（図２）を含み、天空のＧＰＳ衛星８１からＧＰＳ信号８２を受信する。ＧＰＳ信号８２には現在の年月日日時分の情報が含まれており、基地局１１ｂ及び各移動局１２ｂはＧＰＳ電波から現在の時間情報を入手できるようになっている。したがって、基地局１１ｂ及び移動局１２ｂはＲＴＣ部３０（図２）の装備を省略することができる。
【００４９】
図９はさらに別の無線通信システム１０ｃの構成図である。無線通信システム１０ｃにおいて、無線通信システム１０（図１）の構成要素に対応する構成要素は、無線通信システム１０の構成要素の符号にｃを付加した符号で指示している。無線通信システム１０ｃでは、基地局１１ｃ及び各移動局１２ｃはインターネット接続装置８５を備えている。基地局１１ｃ及び各移動局１２ｃは、インターネット接続装置８５を介してインターネット上の所定のタイムサーバから現在の年月日日時分の情報を適宜、入手することができる。したがって、基地局１１ｃ及び各移動局１２ｃはＲＴＣ部３０（図２）の装備を省略することができる。
【００５０】
図１０は無線通信システム１００の構成図である。無線通信システム１００は、複数の被指示側無線機１１０と、１つの指示側無線機１２０と備える。無線通信システム１００は、ネットワーク化された複数の指示側無線機１２０を備えていてもよい。被指示側無線機１１０の具体例は移動局１２（図１及び図２），１２ｂ（図８），１２ｃ（図９）であるが、被指示側無線機１１０は、所定の地点に設置される据え付け型であってもよい。指示側無線機１２０の具体例は基地局１１及び移動局１２，１２ｂ，１２ｃである。
【００５１】
被指示側無線機１１０は、記憶媒体１１７、指示受信手段１１１及び呼び出し先制限手段１１２を備え、好ましくは、さらに、選択呼び出しリスト変更手段１１３を備えている。記憶媒体１１７は、呼び出し先についての複数の呼び出しリストに係るデータを記憶する。指示受信手段１１１は、記憶媒体１１７にそのデータが記憶されている複数の呼び出しリストの中から１つを選択する指示を指示側無線機１２０から受信する。呼び出し先制限手段１１２は、呼び出し先を現在の選択呼び出しリスト内の呼び出し先に制限する。
【００５２】
指示受信手段１１１の具体例は無線部２６である。呼び出し先制限手段１１２の具体例は制御部２５及び呼び出しリスト読み出し手段４０である。記憶媒体１１７は例えばフラッシュメモリ等の不揮発性メモリから成る。
【００５３】
呼び出しリスト選択指示は、例えば、テキストメッセージの通信により行われる。この一例は、図３及び図４の規格のＳＤＭである。呼び出しリストは、音声通話用とテキストメッセージ通信用とで、共通にしてもよいし、別々にしてもよい。
【００５４】
こうして、被指示側無線機１１０からの呼び出し先を制限しつつ、該制限された呼び出し先を柔軟にかつ能率的に変更することができる。
【００５５】
好ましくは、呼び出し先制限手段１１２は、現在の選択呼び出しリストを表示器に表示して、表示中の呼び出しリストの中からユーザーに呼び出し先を選択させるものである。この一例は図７のフローチャートを参照して説明したとおりである。
【００５６】
好ましくは、被指示側無線機１１０は選択呼び出しリスト変更手段１１３を備える。すなわち、指示受信手段１１１は、選択呼び出しリストの使用開始時期及び／又は使用終了時期についての指示を受信することができる。そして、選択呼び出しリスト変更手段１１３は、現在が使用開始時期になると、該使用開始時期に該当する呼び出しリストへ選択呼び出しリストを変更したり、現在が使用終了時期になると、該使用終了時期に該当する呼び出しリストから別の呼び出しリストへ選択呼び出しリストを変更したりする。
【００５７】
前述の図４では、同一のＳＤＭに、呼び出しリストの選択指示と、変更開始時期及び変更終了時期とが含まれているが、すなわち、指示受信手段１１１における選択呼び出しリストの使用開始時期及び使用終了時期の受信時期と、呼び出しリストの選択指示の受信時期とが同一の例であるが、それらは異なっていてもよいとする。なお、前述の移動局１２では、図４の変更終了時期が指定されていない場合には、該当の呼び出しリストは、終了しないものとして取り扱い、変更開始時期及び変更終了時期が指定された臨時の呼び出しリストについての選択指示を受け取ると、該臨時の呼び出しリストへ変更開始時期から選択を変更し、該臨時の呼び出しリストの変更終了時期の到来に伴い、再び、前述の該当の呼び出しリストへ選択を変更する旨、説明したが、典型的な被指示側無線機１１０はこの変更方式を採用する。
【００５８】
一方、指示側無線機１２０は指示送信手段１２１を備えている。指示送信手段１２１は、複数の呼び出しリストのデータを記憶している記憶媒体１１７を装備する被指示側無線機１１０に対し、該複数の呼び出しリストの中から１つを選択する指示を送信する。
【００５９】
好ましくは、被指示側無線機１１０及び指示側無線機１２０は、通話用及び／又はテキストメッセージ通信用の呼び出しリストの送受に関して、個別／グループ別／一斉の送受信に対応している。典型的には、指示送信手段１２１は、指示を被指示側無線機１１０に対して個別に、グループ別に又は一斉に送信する。この場合、指示送信手段１２１は、各被指示側無線機１１０ごとに又は被指示側無線機１１０の各グループごとに、異なる呼び出しリストを選択させるように、個別送信又はグループ別送信により、呼び出しリストの選択指示を送信することができる。
【００６０】
被指示側無線機１１０は指示側無線機１２０を兼ねることもできる。例えば、グループリーダーが専用に使用する被指示側無線機１１０を決めておき、その被指示側無線機１１０は、指示側無線機１２０として使用できるように設定してもよい。
【００６１】
図１１は被指示側無線機制御方法１３０のフローチャートである。被指示側無線機制御方法１３０は被指示側無線機１１０において実行される。Ｓ１３１では、記憶媒体１１７にそのデータが記憶されている複数の呼び出しリストの中から１つを選択する指示を指示側無線機１２０から受信する。Ｓ１３２では、呼び出し先を現在の選択呼び出しリスト内の呼び出し先に制限する。
【００６２】
図１２は指示側無線機制御方法１４０のフローチャートである。指示側無線機制御方法１４０は指示側無線機１２０において実行される。Ｓ１４１では、記憶媒体１１７を装備する他の被指示側無線機１１０に対し該記憶媒体１１７にそのデータが記憶されている複数の呼び出しリストの中から１つを選択する指示を送信する。
【００６３】
Ｓ１３１，Ｓ１３２，Ｓ１４１の処理は、被指示側無線機１１０及び指示側無線機１２０（図１０）の指示受信手段１１１、呼び出し先制限手段１１２及び指示送信手段１２１の機能にそれぞれ対応している。したがって、指示受信手段１１１、呼び出し先制限手段１１２及び指示送信手段１２１の機能について述べた具体的態様はＳ１３１，Ｓ１３２，Ｓ１４１の処理についての具体的態様としても適用可能である。被指示側無線機制御方法１３０では、また、被指示側無線機１１０の選択呼び出しリスト変更手段１１３の機能に対応する処理を実行するステップを適宜、追加可能である。選択呼び出しリスト変更手段１１３に対応するステップは、被指示側無線機制御方法１３０において、Ｓ１３２の前に挿入される。この場合、選択呼び出しリスト変更手段１１３の追加に対して説明した指示受信手段１１１の機能の具体的態様は、選択呼び出しリスト変更手段１１３に対応するステップの追加に対するＳ１３１の処理の具体的態様として適用される。
【００６４】
本明細書は様々な発明を開示している。それら発明には、本明細書における発明の最良の形態等において、独立の作用、効果を奏する１つ又は複数の要素を抽出したものや、１つ又は複数の要素を自明の範囲で変更したものや、１つ又は複数の要素の組合せを自明の範囲で発明の形態間で入れ換えたものを含む。
【図面の簡単な説明】
【００６５】
【図１】無線通信システムの概略構成図である。
【図２】移動局の構成図である。
【図３】呼び出しリストの入れ換えを指示するＳＤＭのフレーム構造図である。
【図４】ＳＤＭのフレームにおける各フィールドの定義内容を示す図である。
【図５】複数の呼び出しリストの具体例である。
【００６６】
【図６】着信メッセージ処理方法のフローチャートである。
【図７】呼び出し処理のフローチャートである。
【図８】別の無線通信システムの構成図である。
【図９】さらに別の無線通信システムの構成図である。
【図１０】無線通信システムの構成図である。
【００６７】
【図１１】被指示側無線機制御方法のフローチャートである。
【図１２】指示側無線機制御方法のフローチャートである。
【図１３】従来の無線機の構成図である。
【図１４】従来の無線機に適用されるメッセージ受信処理方法のフローチャートである。
【符号の説明】
【００６８】
１００：無線通信システム、１１０：被指示側無線機、１１１：指示受信手段、１１２：呼び出し先制限手段、１１３：選択呼び出しリスト変更手段、１１７：記憶媒体、１２０：指示側無線機、１２１：指示送信手段、１３０：指示受信側無線機制御方法。
【図１】
2008278026.tif 000003
【図２】
2008278026.tif 000004
【図３】
2008278026.tif 000005
【図４】
2008278026.tif 000006
【図５】
2008278026.tif 000007
【図６】
2008278026.tif 000008
【図７】
2008278026.tif 000009
【図８】
2008278026.tif 000010
【図９】
2008278026.tif 000011
【図１０】
2008278026.tif 000012
【図１１】
2008278026.tif 000013
【図１２】
2008278026.tif 000014
【図１３】
2008278026.tif 000015
【図１４】
2008278026.tif 000016